(57)【要約】【課題】映像表示装置の端子に接続される情報デバイス、および情報カードの盗難を防止することが可能な技術を提供することを目的とする。【解決手段】盗難防止構造は、ケーブル２２を介して情報デバイス２１が接続される端子４と、情報カードが挿入される挿入口３と、端子４の周辺部に設けられ、かつ、ケーブル２２を保持する溝部５を有する保持部７と、ケーブル２２が溝部５に保持された状態でケーブル２２を固定し、かつ、挿入口３を塞ぐ固定具１１と、固定具１１を保持部７に固定する固定部材９１とを備えている。【選択図】図３
2018148521.tif 000002
【特許請求の範囲】
【請求項１】
ケーブルを介して情報デバイスが接続される端子と、
情報カードが挿入される挿入口と、
前記端子の周辺部に設けられ、かつ、前記ケーブルを保持する溝部を有する保持部と、
前記ケーブルが前記溝部に保持された状態で前記ケーブルを固定し、かつ、前記挿入口を塞ぐ固定具と、
前記固定具を前記保持部に固定する固定部材と、
を備えた、盗難防止構造。
【請求項２】
前記固定部材は、角ねじ、ヘックスローブねじ、リベット、プッシュリベット、アンカークリップ、または錠構造により構成された、請求項１記載の盗難防止構造。
【請求項３】
前記固定具は、情報処理ユニットを前記保持部に固定するユニット固定部を備えた、請求項１または請求項２記載の盗難防止構造。
【請求項４】
前記情報デバイスを収納可能な内部空間を有する収納部をさらに備え、
前記固定具は、前記収納部の開口部を塞ぐように形成された、請求項３記載の盗難防止構造。
【請求項５】
前記固定具は、壁面に固定される壁掛け金具により構成された、請求項１から請求項４のいずれか１項に記載の盗難防止構造。
【請求項６】
請求項１から請求項５のいずれか１項に記載の盗難防止構造を備えた、映像表示装置。
【発明の詳細な説明】
【技術分野】
【０００１】
本発明は、情報デバイスおよび情報カードなどの盗難防止構造と、これを備える映像表示装置に関するものである。
【背景技術】
【０００２】
放送局から配信される各種デジタル放送コンテンツを受信するためには、例えばＢ−ＣＡＳカードなどの専用の情報カードが必要である。しかし、ホテルおよび病院等の公共施設で使用される業務用のテレビ、および家電量販店に設置された展示用のテレビなどで、この情報カードが故意に持ち去られるという盗難被害が発生している。
【０００３】
また、公共の場所で広告コンテンツ等を表示するデジタルサイネージシステムでは、映像コンテンツを記録した、例えばＳＤメモリーカードなどの情報カードが使用されるが、上記と同様の問題がある。
【０００４】
さらに近年では、ホテルなどに設置された映像表示装置の入力端子に接続して使用する無線ネットワークデジタル映像コンテンツ受信機に関しても、上記と同様の問題がある。
【０００５】
このような問題に対して、例えばホテルに設置された映像表示装置では、従業員による情報カードの取り外しは容易であるが、一般の宿泊客に対しては情報カードを容易に取り外せないことが要望されている。このような要望に応えるために、例えば特許文献１〜３には、映像表示装置で使用される情報カードの盗難防止構造が提案されている。
【先行技術文献】
【特許文献】
【０００６】
【特許文献１】特開２００５−１９８０４４号公報
【特許文献２】特開２００６−２３７９７１号公報
【特許文献３】特開２００９−５５１１５号公報
【発明の概要】
【発明が解決しようとする課題】
【０００７】
特許文献１〜３に記載の盗難防止構造は、情報カードの盗難防止に関するものであり、特許文献１〜３には、映像表示装置の例えばＨＤＭＩ（登録商標）端子などの入力端子に接続される情報デバイスについての盗難防止構造に関しては提案されていない。
【０００８】
そこで、本発明は、映像表示装置の端子に接続される情報デバイス、および情報カードの盗難を防止することが可能な技術を提供することを目的とする。
【課題を解決するための手段】
【０００９】
本発明に係る盗難防止構造は、ケーブルを介して情報デバイスが接続される端子と、情報カードが挿入される挿入口と、前記端子の周辺部に設けられ、かつ、前記ケーブルを保持する溝部を有する保持部と、前記ケーブルが前記溝部に保持された状態で前記ケーブルを固定し、かつ、前記挿入口を塞ぐ固定具と、前記固定具を前記保持部に固定する固定部材とを備えたものである。
【発明の効果】
【００１０】
本発明によれば、ケーブルが溝部に保持された状態でケーブルを固定し、かつ、挿入口を塞ぐ固定具と、固定具を保持部に固定する固定部材とを備えたため、情報デバイスおよび情報カードを容易に取り外すことができなくなる。これにより、情報デバイスおよび情報カードの盗難を防止することができる。
【図面の簡単な説明】
【００１１】
【図１】実施の形態１に係る映像表示装置の背面図である。
【図２】映像表示装置の背面側の要部斜視図である。
【図３】映像表示装置の盗難防止構造の斜視図である。
【図４】実施の形態２に係る映像表示装置の背面図である。
【図５】映像表示装置の盗難防止構造における固定具を取り外した状態を示す斜視図である。
【図６】映像表示装置の盗難防止構造の斜視図である。
【図７】実施の形態２の変形例に係る映像表示装置の背面斜視図である。
【発明を実施するための形態】
【００１２】
＜実施の形態１＞
本発明の実施の形態１について、図面を用いて以下に説明する。図１は、実施の形態１に係る映像表示装置１００の背面図である。図２は、映像表示装置１００の背面側の要部斜視図である。
【００１３】
図１に示すように、映像表示装置１００は、本体部１およびスタンド２を備えている。本体部１の前面は表示面であり、映像表示装置１００の機能を発揮させるための複数の電気部品が表示面の背面側に配置されている。本体部１は背面カバー１０を備えている。背面カバー１０は、複数の電気部品の背面側を覆うように配置され、本体部１の背面を構成している。スタンド２は、本体部１の下端部に取り付けられ、本体部１を支持している。
【００１４】
次に、映像表示装置１００の背面側の要部について説明する。なお、図１の紙面に向かって左右方向を左右方向、上下方向を上下方向として説明する。
【００１５】
図１と図２に示すように、背面カバー１０は、挿入口３、端子４および保持部７を備えている。背面カバー１０の下部の右側面には、情報カードが挿入される挿入口３が設けられている。挿入口３は、背面カバー１０の下部の右側面に設けられた凹部３ａ内に上下方向に延びるように形成されている。ここで、情報カードとは、例えばＢ−ＣＡＳカード、ｍｉｎｉ Ｂ−ＣＡＳカード、またはＳＤメモリーカードである。
【００１６】
端子４は、背面カバー１０の下部の右端部における挿入口３の周辺部に設けられている。端子４は、後述する情報デバイス２１（図３参照）が接続される入力端子であり、例えばＨＤＭＩ端子またはＵＳＢ端子である。
【００１７】
保持部７は、背面カバー１０の下部の右端部における挿入口３と端子４との間の領域に設けられている。保持部７は、溝部５およびねじボス６を備えている。溝部５は、背面カバー１０の下部の右端部に、前面側に凹む凹形状に形成されている。ねじボス６は、背面カバー１０の下部の右端部に溝部５を挟んで上下に１つずつ設けられている。
【００１８】
また、背面カバー１０にはアンテナ入力端子なども設けられているが、一般の映像表示装置の場合と同様であるため説明を省略する。
【００１９】
次に、盗難防止構造について説明する。図３は、映像表示装置１００の盗難防止構造の斜視図である。
【００２０】
図２と図３に示すように、盗難防止構造は、端子４、挿入口３、保持部７、固定具１１、および固定部材としてのねじ９１を備えている。情報デバイス２１は、背面カバー１０の下部の右側面における凹部３ａの下側の領域に固定され、ケーブル２２を介してコネクタ２３に接続されている。コネクタ２３は端子４に接続されており、情報デバイス２１はケーブル２２およびコネクタ２３を介して端子４に接続されている。
【００２１】
保持部７の溝部５の上下方向長さは、ケーブル２２の幅よりも少し長く形成され、溝部５の深さは、ケーブル２２の厚みよりも少し深く形成されている。これにより、ケーブル２２の長手方向の中央部は保持部７の溝部５に保持される。
【００２２】
図３に示すように、固定具１１は、保持部７に対して背面側から固定される。固定具１１は、背面カバー１０の背面と平行に形成された背面部１１ａ、および背面カバー１０の右側面と平行に形成された側面部１１ｂを備えている。固定具１１の背面部１１ａにおける２つのねじボス６に対応する位置に、２つのねじ９１がそれぞれ挿通可能な２つのねじ穴（図示省略）が設けられている。
【００２３】
背面部１１ａは、２つのねじ９１を用いて保持部７に固定されている。これにより、固定具１１は、ケーブル２２が溝部５に保持された状態でケーブル２２を固定している。固定具１１が情報デバイス２１に接続されたケーブル２２を固定することで、情報デバイス２１を容易に取り外すことができないようにしている。このとき、固定具１１の側面部１１ｂは、挿入口３の上側部分を側方から塞いでおり、挿入口３から情報カードを容易に取り外すことができないようにしている。なお、図３では、挿入口３の下側部分は塞がれていないが、挿入口３が完全に塞がれるように側面部１１ｂの上下方向長さを挿入口３の上下方向長さよりも長く形成することも可能である。
【００２４】
以上のように、実施の形態１に係る映像表示装置１００は、盗難防止構造を備え、盗難防止構造では、ケーブル２２が溝部５に保持された状態でケーブル２２を固定し、かつ、挿入口３を塞ぐ固定具１１と、固定具１１を保持部７に固定するねじ９１とを備えた。したがって、情報デバイス２１および情報カードを容易に取り外すことができなくなる。これにより、情報デバイス２１および情報カードの盗難を防止することができる。
【００２５】
また、１つの固定具１１により情報デバイス２１および情報カードの両方の盗難を防止することができるため、盗難防止構造にかかる製造コストを抑制できる。
【００２６】
なお、実施の形態１では固定部材はねじ９１であると説明したが、これに限定されることはない。固定部材は、例えば角ねじ、ヘックスローブねじ、リベット、プッシュリベット、アンカークリップ、鍵を有する錠構造または暗証番号を用いた錠構造などであってもよいし、これらの組み合わせであってもよい。
【００２７】
このように、固定部材が、角ねじ、ヘックスローブねじ、リベット、プッシュリベット、アンカークリップ、または錠構造により構成された場合、固定具１１を取り外す際には専用工具が必要となるため、情報デバイス２１および情報カードの盗難防止効果を一層高めることができる。
【００２８】
また、溝部５はさらに広くかつ深く形成されていてもよい。使用する情報デバイス２１のケーブル２２のサイズに応じて、溝部５の隙間を埋める形状を有する固定具１１を用いることで、様々なサイズのケーブル２２を有する情報デバイス２１に対応することが可能となる。
【００２９】
＜実施の形態２＞
次に、実施の形態２に係る映像表示装置１００Ａについて説明する。図４は、実施の形態２に係る映像表示装置１００Ａの背面図である。図５は、映像表示装置１００Ａの盗難防止構造における固定具５３を取り外した状態を示す斜視図である。図６は、映像表示装置１００Ａの盗難防止構造の斜視図である。なお、実施の形態２において、実施の形態１で説明したものと同一の構成要素については同一符号を付して説明は省略する。
【００３０】
図４〜図６に示すように、実施の形態２では盗難防止構造は、背面カバー１０（図１参照）および固定具１１（図３参照）に代えて、背面カバー４１および固定具５３を備えている。
【００３１】
背面カバー４１は、挿入口３、端子４、保持部７、および収納部４２を備えている。背面カバー４１の下部の右端部には、収納部４２が設けられている。収納部４２は、前面側に凹む凹形状に形成され、情報デバイス２１を収納可能な内部空間を有している。収納部４２の内壁には、情報カードが挿入される挿入口３が設けられている。保持部７は、背面カバー４１における収納部４２の左右両側の領域に設けられている。ねじボス６は、収納部４２の左右両側の領域に２つずつ設けられている。溝部５は、左側の保持部７に設けられている。
【００３２】
端子４は、背面カバー１０の下部の右端部における保持部７の周辺部に設けられている。より具体的には、端子４は、収納部４２の左側の領域に設けられている。
【００３３】
固定具５３は、情報処理ユニット５２およびユニット固定部５１を備えている。情報処理ユニット５２は、箱形状に形成され、例えば、デジタル放送から時刻情報を得られない環境で、映像表示装置１００Ａの電源のＯＮおよびＯＦＦをスケジュール管理する制御ユニットである。ユニット固定部５１は、情報処理ユニット５２を保持部７に固定するために、情報処理ユニット５２の左右両端部に設けられている。ユニット固定部５１におけるねじボス６に対応する位置に、ねじ９２が挿通可能なねじ穴５１ａが設けられている。
【００３４】
情報処理ユニット５２の正面視輪郭は収納部４２の正面視輪郭よりも少し小さく形成されている。より具体的には、情報処理ユニット５２の上下方向長さは収納部４２の上下方向長さよりも少し短く形成されており、固定具５３は、収納部４２の開口部の下端部を除く領域を塞ぐことが可能となっている。なお、図６では収納部４２の開口部の下端部は塞がれていないが、収納部４２の開口部が完全に塞がれるように情報処理ユニット５２の上下方向長さを収納部４２の上下方向長さよりも長く形成することも可能である。
【００３５】
図５に示すように、情報デバイス２１は、収納部４２に収納され、ケーブル２２およびコネクタ２３を介して端子４に接続されている。ユニット固定部５１は、固定部材として４つのねじ９２を用いて保持部７に固定されている。これにより、固定具５３は、ケーブル２２が溝部５に保持された状態でケーブル２２を固定している。固定具５３が情報デバイス２１に接続されたケーブル２２を固定することで、情報デバイス２１を容易に取り外すことができないようにしている。このとき、固定具５３は、挿入口３が設けられた収納部４２の開口部を塞いでおり、収納部４２からの情報デバイス２１の取り外しと、挿入口３からの情報カードの取り外しとを容易に行うことができないようにしている。
【００３６】
以上のように、実施の形態２に係る盗難防止構造では、固定具５３は、情報処理ユニット５２を保持部７に固定するユニット固定部５１を備えたため、情報処理ユニット５２の盗難を防止することができる。
【００３７】
情報デバイス２１を収納可能な内部空間を有する収納部４２をさらに備え、固定具５３は、収納部４２の開口部を塞ぐように形成されたため、情報デバイス２１および情報カードを容易に取り外すことができなくなる。これにより、情報デバイス２１および情報カードの盗難を防止することができる。
【００３８】
また、情報処理ユニット５２を備える１つの固定具５３により情報デバイス２１および情報カードの両方の盗難を防止することができるため、盗難防止構造にかかる製造コストをさらに抑制できる。
【００３９】
なお、背面カバー４１の収納部４２は背面カバー４１に凹形状の凹みに形成されたが、これに限定されることはない。収納部は、例えば、背面カバー４１に凸形状の壁を有する形状に形成されることも可能である。
【００４０】
また、実施の形態２では固定部材はねじ９２であると説明したが、これに限定されることはない。固定部材は、例えば角ねじ、ヘックスローブねじ、リベット、プッシュリベット、アンカークリップ、鍵を有する錠構造または暗証番号を用いた錠構造などであってもよいし、これらの組み合わせであってもよい。
【００４１】
次に、実施の形態２の変形例について説明する。図７は、実施の形態２の変形例に係る映像表示装置１００Ｂの背面斜視図である。
【００４２】
収納部４２の開口部を塞ぐ固定具は、映像表示装置１００Ｂの本体部１の背面に取り付けられて、本体部１を壁面に固定する壁掛け金具６１により構成されてもよい。
【００４３】
壁掛け金具６１は、ケーブル２２が溝部５に保持された状態でケーブル２２を固定し、かつ、挿入口３が設けられた収納部４２の開口部を塞ぐため、情報デバイス２１および情報カードを容易に取り外すことができなくなる。これにより、情報デバイス２１および情報カードの盗難を防止することができる。
【００４４】
また、本体部１を壁面に固定する壁掛け金具６１により情報デバイス２１および情報カードの盗難を防止することができるため、盗難防止構造にかかる製造コストをさらに抑制できる。
【００４５】
なお、本発明は、その発明の範囲内において、各実施の形態を自由に組み合わせたり、各実施の形態を適宜、変形、省略することが可能である。
【符号の説明】
【００４６】
３  挿入口、４  端子、５  溝部、７  保持部、１１  固定具、２１  情報デバイス、２２  ケーブル、４２  収納部、５１  ユニット固定部、５２  情報処理ユニット、５３  固定具、６１  壁掛け金具、９１，９２  固定部材、１００，１００Ａ，１００Ｂ  映像表示装置。
【図１】
2018148521.tif 000003
【図２】
2018148521.tif 000004
【図３】
2018148521.tif 000005
【図４】
2018148521.tif 000006
【図５】
2018148521.tif 000007
【図６】
2018148521.tif 000008
【図７】
2018148521.tif 000009